(57)【要約】【課題】  フレキシブル基板の面積を必要最小限に抑えるとともに、組立作業性を損なうことなく、基板内配線信号の干渉を防止することを可能にしたフレキシブル基板を提供すること。【解決手段】  対向して配置される第一の基板３０１および第二の基板３０２を接続するフレキシブル基板３０３において、略同一平面内に信号配線をし、少なくとも１箇所の湾曲配線部５０７と、少なくとも１箇所の直線配線部５０８とを持ち、カバーレイの形成されていない領域５０４は前記直線配線部５０８、または前記湾曲配線部５０７の外周側に設け、前記直線配線部５０８は、互いに重なることがないことを特徴とした。【選択図】  図５
2012146901.tif 000002
【特許請求の範囲】
【請求項１】
対向して配置される第一の基板（３０１）および第二の基板（３０２）を接続するフレキシブル基板（３０３）において、同一平面内に信号配線をし、少なくとも１箇所の湾曲配線部（５０７）と、少なくとも２箇所の直線配線部（５０８）とを持ち、カバーレイの形成されていない領域（５０３）は前記直線配線部（５０８）に設けられ、前記湾曲配線部（５０７）の内周側には設けられない、また、前記直線配線部（５０８）は、前記第一の基板（３０１）および前記第二の基板（３０２）が電子機器１に固定される際には、互いに重なることがないことを特徴とするフレキシブル基板（３０３）。
【請求項２】
前記カバーレイの形成されていない領域（５０３）は、前記基板（３０１）および（３０２）に接続するコネクタ部（５０５）および（５０６）には設けないことを特徴とする請求項１に記載のフレキシブル基板（３０３）。
【請求項３】
前記湾曲配線部（５０７）は、前記直線配線部（５０８）内の配線方向を、１８０°変更する配線であることを特徴とする請求項１に記載のフレキシブル基板（３０３）。
【請求項４】
液晶駆動用のデジタル系回路を含むプリント基板と、液晶部材に接続された基板とを接続することを特徴とする請求項１に記載のフレキシブル基板（３０３）。
【発明の詳細な説明】
【技術分野】
【０００１】
本発明は、カメラ等の電気機器の内部の基板間を接続するフレキシブルプリント基板に関する。
【背景技術】
【０００２】
カメラのように携帯して使用される電子機器には筐体の小型化および機能の充実が求められており、その要求の達成のため、リジット基板やフレキシブル基板を多数使用し、各種の電気部品の組み込みや電気回路の実装を行っている。
【０００３】
カメラを例に挙げると、撮影シーケンス全体を管制するメインCPU、ストロボ回路、オートフォーカス回路、撮影情報表示用の液晶及びその駆動回路、スイッチ操作によりオン／オフされるスイッチ接点などである。
【０００４】
これらの複数のリジット基板同士の接続には、フレキシブル基板や基板間コネクタが使用される。
【０００５】
対向するリジット基板同士をフレキシブル基板で接続する際には、例えば、筐体側に固定されている一方のリジット基板に対象のフレキシブル基板を接続したのちに、フレキシブル基板ともう一方のリジット基板を接続し、その後フレキシブル基板が接続されたリジット基板を筐体に組み付ける作業となる。
【０００６】
この組み付け作業を確実に行うためには、作業時の目視確認や、基板接続箇所に不意な負荷をかけないようフレキシブル基板には十分な大きさが必要となってしまう。
【０００７】
また、組立状態では筐体内にフレキシブル基板を収めるため、フレキシブル基板が重畳するように配置させてしまうと、その重畳部分で信号の干渉を原因とする電気信号ノイズが発生するなど影響を与えることがある。
【０００８】
この信号の干渉を避けるため、重畳部分に電磁波を緩和・吸収するような部材を配置したり、また、特許文献１に示す事例においては、フレキシブル基板の信号を持つ層の両面にシールド層を設ける技術が開示されている。
【先行技術文献】
【特許文献】
【０００９】
【特許文献１】特開2001-244583号公報
【発明の概要】
【発明が解決しようとする課題】
【００１０】
しかしながら、特許文献１に開示されている技術では、フレキシブル基板内で対向する信号同士が干渉し、ノイズが発生する虞があるとともに、フレキシブル基板のコシが固く、作業者の意図通りに曲げることが困難となる可能性があった。
【００１１】
上記事情を顧みて、本発明の目的は、フレキシブル基板の面積を必要最小限に抑えるとともに、組立作業性を損なうことなく、基板内配線信号の干渉を防止することを可能にしたフレキシブル基板を提供することである。
【課題を解決するための手段】
【００１２】
上記目的を達成するために、本発明は、
対向して配置される第一の基板３０１および第二の基板３０２を接続するフレキシブル基板３０３において、略同一平面内に信号配線をし、少なくとも１箇所の湾曲配線部５０７と、少なくとも１箇所の直線配線部５０８とを持ち、カバーレイの形成されていない領域５０３は前記直線配線部５０８、または前記湾曲配線部５０７の外周側に設け、前記直線配線部５０８は、電子機器１の組立後に互いに重なることがないことを特徴とする。
【発明の効果】
【００１３】
本発明によれば、フレキシブル基板内配線信号の干渉がなく、且つ組立作業性を損なうことのない基板接続が可能になる。
【図面の簡単な説明】
【００１４】
【図１】カメラの概要図
【図２】従来の基板接続図
【図３】本発明における基板接続図
【図４】従来のフレキシブル基板内の配線図
【図５】本発明におけるフレキシブル基板内の配線図
【発明を実施するための形態】
【００１５】
以下に、本発明の好ましい実施の形態を、添付の図面に基づいて詳細に説明する。
【００１６】
［実施例１］
以下、図１〜５を参照して、本発明の実施形態について説明する。
【００１７】
図１は、カメラ背面から見た斜視図であり、撮影者側外装ユニットを取り外した状態である。
【００１８】
カメラ上部中央には、カメラ本体に対してポップアップするカメラ内蔵型ストロボユニット１０１が設けられ、被写体に照明光を照射する。
【００１９】
また、上方にファインダ接眼窓１０２の他、カメラの撮影前情報や設定内容、また、撮影した画像などを表示可能なカラー液晶モニタ１０３が設けられている。
【００２０】
カラー液晶モニタ１０３は、カメラ背面ユニット１０５の一部として組み込まれており、カメラ背面ユニット１０５は、フレキシブル基板３０３によりカメラ本体側基板１０６と接続されている。
【００２１】
フレキシブル基板３０３には、カラー液晶モニタ１０３を駆動および制御するための高速信号線が配線されている。
【００２２】
カメラ背面ユニット１０５には、カメラの各設定を行うための各種操作ボタン１０７ａ〜eが配置されている。上部グリップ側には、撮影モード設定ダイヤル部１０４が設けられ、撮影シーンに合わせた撮影モードの選択が可能である。
【００２３】
これらの機能を果たすための電気回路を実装したリジット基板を筐体内に収めるため、電気回路を複数のリジット基板に渡って実装し、筐体内に収めることで筐体の小型が達成できる。
【００２４】
とくに、対向するリジット基板同士の接続や、外装ユニットと本体基板を接続には、フレキシブル基板を使用することで、接続作業後に接続箇所の目視確認が可能となる。
【００２５】
従来、カメラ内部において、対向する一対の基板と、それら基板を接続するフレキシブル基板の構成は、図２に示すように、略直線形状のフレキシブル基板２０３を折り曲げて、基板２０１と基板２０２とを接続する構成が一般的である。しかし、この場合、図２のＡ方向から見ると、フレキシブル基板２０３の折り曲げ部が重なっており、フレキシブル基板２０３内部に高速信号のパターンが配線された場合に、フレキシブル基板２０３内部のパターン同士がノイズ干渉を引き起こし、結果的にカメラの性能に影響を及ぼしていた。
【００２６】
そこで、本発明においては、図３に示すように、対向する基板第一の基板３０１と、第二の基板３０２とを接続するフレキシブル基板３０３を略U字形状とし、フレキシブル基板３０３内部の配線パターンが、筐体内で略同一平面となるよう配線した。つまり、Ｂ方向から見て、フレキシブル基板３０３内部の配線パターンが重ならない構成とすることで、フレキシブル基板３０３内部に高速信号のパターンが配線された場合でも、フレキシブル基板３０３内部のパターン同士がノイズ干渉を引き起こすことを防止している。
【００２７】
次に、フレキシブル基板３０３内部の配線パターンの詳細について説明する。
【００２８】
従来、図４に示すように、組立工程などで発生する外的ストレスによるフレキシブル基板４０１内部の配線パターンの破損防止のため、フレキシブル基板４０１の外形近傍に、信号処理に使用しないダミー配線パターン４０２を設けているものがあった。しかしこの場合、ダミー配線パターン４０２を設けることにより、フレキシブル基板４０１の外形を拡大する必要があり、結果的に、フレキシブル基板４０１自体が高コストになっていた。
【００２９】
図５は本発明におけるフレキシブル基板の構成を示す。図５(a)は両面フレキのB面（裏面）側配線パターンを、 図５(ｂ) は両面フレキのA面（表面）側配線パターンを、 図５(ｃ)における５０３は、フレキシブル基板３０３において、カバーレイの形成されていない領域であるA面（表面）側のカバーレイ開口領域を示す。カバーレイ開口領域においては、フレキシブル基板３０３の厚みが薄く形成されるため、その領域においてフレキシブル基板３０３が柔らかくなり、曲げ性に優れている。
【００３０】
図５(a)および(b)に示すように、フレキシブル基板３０３内部の配線パターンは、湾曲配線部５０７と直線配線部５０８とで構成され、フレキシブル基板３０３のA面（表面）に、信号５０２を配線し、高速信号５０２の両端およびB面（裏面）に信号５０１（a）、信号５０１（ｂ）を配線している。
【００３１】
また、フレキシブル基板３０３内部の配線パターンの湾曲配線部５０７と直線配線部５０８との境界に、フレキシブル基板３０３の一方の面内の配線パターンと、他方の面内の配線パターンとを接続するスルーホール５０４を設けている。
【００３２】
スルーホール５０４は、両面内の配線パターンを電気的に互いに接続することに加えて、スルーホール５０４内部にメッキ処理が施されていることで、両面内の配線パターンを機械的にも接続している。
【００３３】
この構成により、フレキシブル基板３０３は、両面絶縁部・両面配線部・片面配線部と柔剛の交互の構造により、亀裂の進行を抑制することができる。
【００３４】
また、A面（表面）の最端側の配線パターン５０１（a）が破断したときには、A面（表面）の最端側の配線パターン５０１（a）とB面（裏面）に配線された信号５０１（b）がスルーホール５０４により電気的に接続しているため、フレキシブル基板３０３としての機能を果たすことができる。
【００３５】
組立工程においては、フレキシブル基板３０３の接続端子部を開くように作業するため、U字部に外的ストレスが集中する。U字部に亀裂が入った際には、U字部前後に配置されたスルーホール５０４により、信号の断線が回避されるため、フレキシブル基板３０３は機能を果たすことが可能である。
【００３６】
さらに、図５の(c)に示すように、フレキシブル基板３０３においてカバーレイの形成されていない領域５０３を、フレキシブル基板３０３の両端には設置せず、直線配線部５０８のみに配置する。カバーレイの形成されていない領域５０３を設置した箇所においては、フレキシブル基板３０３の剛性が、カバーレイの形成されていない領域５０３を設置していない箇所と比較して弱くなる。また、本実施例では、カバーレイの形成されていない領域５０３を直線配線部５０８のみとしたが、この直線配線部５０８に加えて、フレキシブル基板３０３の湾曲配線部５０７の外周側にもカバーレイの形成されていない領域５０４に設置することも可能である。
【００３７】
以上の構成により、図３のように、対向する基板同士についてフレキシブル基板３０３を接続させる際に、接続に使用するコネクタ（不図示）に対する、基板面内方向であるC方向のズレが小さく、且つ、基板面直方向であるD方向に対しては、フレキシブル基板３０３の剛性を小さくすることで自由度を持たせ、フレキシブル基板３０３の作業性を良好なものにしている。
【００３８】
以上、本発明の好ましい実施形態について説明したが、本発明はこれらの実施形態に限定されず、その要旨の範囲内で種々の変形及び変更が可能である。
【符号の説明】
【００３９】
３０３  フレキシブル基板
５０１ａ  フレキシブル基板Ｂ面の配線信号
５０１ｂ  フレキシブル基板Ｂ面の配線信号
５０２  フレキシブル基板Ａ面の配線信号
５０３  カバーレイの形成されていない領域
５０４  スルーホール
５０５  コネクタへの接続部
５０６  コネクタへの接続部
５０７  湾曲配線部
５０８  直線配線部
【図１】
2012146901.tif 000003
【図２】
2012146901.tif 000004
【図３】
2012146901.tif 000005
【図４】
2012146901.tif 000006
【図５】
2012146901.tif 000007